(57)【要約】      （修正有）【課題】ライフログを欠損することなく充電可能な構成をもつ、ユーザビリティに優れたライフロガーを提供する。【解決手段】ライフロガー１は、コアユニット１０と、コアユニット１０を取り付け可能なベースユニット２０と、を有する。コアユニット１０は、動きをセンシングするセンサと、センサの出力信号に基づきライフログを記録する制御回路と、センサ及び制御回路に電力を供給する二次電池とを有し、ベースユニット２０は、二次電池を充電する充電器を有し、ベースユニット２０から取り外された状態のコアユニット１０は、ウェアラブル型の活動量計として動作し、ベースユニット２０に取り付けられた状態のコアユニット１０は、充電器から二次電池の充電を受けながら、置き型の睡眠計として動作する。【選択図】図１
2017127371.tif 000002
【特許請求の範囲】
【請求項１】
コアユニットと、前記コアユニットを取り付け可能なベースユニットと、を有するライフロガーであって、
前記コアユニットは、動きをセンシングするセンサと、前記センサの出力信号に基づきライフログを記録する制御回路と、前記センサ及び前記制御回路に電力を供給する二次電池とを有し、
前記ベースユニットは、前記二次電池を充電する充電器を有し、
前記ベースユニットから取り外された状態の前記コアユニットは、ウェアラブル型の活動量計として動作し、
前記ベースユニットに取り付けられた状態の前記コアユニットは、前記充電器から前記二次電池の充電を受けながら、置き型の睡眠計として動作する
ことを特徴とするライフロガー。
【請求項２】
前記制御回路は、
前記コアユニットが前記ベースユニットから取り外されている場合は、前記センサの出力信号から前記コアユニットを身に着けたユーザの体動を検知し、検知された体動に基づく活動状態をライフログとして記録する活動計測モードで動作し、
前記コアユニットが前記ベースユニットに取り付けられている場合は、前記出力信号から前記ベースユニットが置かれた寝具の動きを検知し、検知された寝具の動きに基づく睡眠状態をライフログとして記録する睡眠計側モードで動作する
ことを特徴とする請求項１に記載のライフロガー。
【請求項３】
前記コアユニットは、前記コアユニットが前記ベースユニットに取り付けられているか否かを検知する検知手段をさらに有し、
前記制御回路は、前記検知手段の検知結果に基づき前記活動計測モードと前記睡眠計側モードを自動で切り替える
ことを特徴とする請求項２に記載のライフロガー。
【請求項４】
前記検知手段は、前記充電器から前記二次電池に入力される電力を検知する回路であることを特徴とする請求項３に記載のライフロガー。
【請求項５】
前記検知手段は、前記コアユニットを前記ベースユニットに取り付けたときに閉成するスイッチである
ことを特徴とする請求項３に記載のライフロガー。
【発明の詳細な説明】
【技術分野】
【０００１】
本発明は、ライフログを記録する装置に関する。
【背景技術】
【０００２】
従来より、身体に装着した装置によってユーザの生体情報（心拍、体動、血圧、呼吸、体温など）をモニタし、得られたデータを診断、治療、健康管理などに活用するという試みがなされている（特許文献１、２参照）。また最近では、生体情報に限らず、日常生活における様々な活動（例えば、見たもの、食べたもの、歩数、移動の履歴など）に関わる情報を記録可能な装置も製品化されている。このように人の生体及び／又は活動に関わる情報をデジタルデータとして記録すること、あるいはその記録されたデータのことを、本明細書では「ライフログ」と呼び、ライフログの記録を行う装置を「ライフロガー」と呼ぶ。
【０００３】
ライフロガーの多くは、ウェアラブル型の端末により構成され、日中（活動中）から夜間（睡眠中）まで１日２４時間のライフログの記録が可能な機能を有している。しかし実用上、充電時にはライフロガーを身体から取り外さなければならないため、充電中はライフログを記録することができず、ライフログの欠損が生じてしまう。
【先行技術文献】
【特許文献】
【０００４】
【特許文献１】特開２００５−１１０９２０号公報
【特許文献２】特開２００５−２５３６０９号公報
【発明の概要】
【発明が解決しようとする課題】
【０００５】
本発明は上記実情に鑑みなされたものであって、ライフログを欠損することなく充電可能な構成をもつ、ユーザビリティに優れたライフロガーを提供することを目的とする。
【課題を解決するための手段】
【０００６】
上記目的を達成するため、本発明に係るライフロガーは、コアユニットと、前記コアユニットを取り付け可能なベースユニットと、を有するライフロガーであって、前記コアユニットは、動きをセンシングするセンサと、前記センサの出力信号に基づきライフログを記録する制御回路と、前記センサ及び前記制御回路に電力を供給する二次電池とを有し、前記ベースユニットは、前記二次電池を充電する充電器を有し、前記ベースユニットから取り外された状態の前記コアユニットは、ウェアラブル型の活動量計として動作し、前記ベースユニットに取り付けられた状態の前記コアユニットは、前記充電器から前記二次電池の充電を受けながら、置き型の睡眠計として動作することを特徴とするライフロガーである。
【０００７】
この構成によれば、活動期間（起きている期間）はコアユニットを身に着けて持ち歩き、就寝時にコアユニットをベースユニットに取り付けて枕元等に置く、という使用方法により、活動期間から睡眠期間まで漏れなくライフログを記録することができる。また、睡眠計として動作している間に並行してコアユニットの充電が行われるため、利便性に優れる。ウェアラブル型の活動量計と置き型の睡眠計とでは物理的な要求仕様（例えば大きさ、形状、重量）が異なるが、本発明のような分離式の構造を採ることで、設計の自由度が上がるため、ウェアラブル型の活動量計と置き型の睡眠計の両方の要求仕様を満足する設計を取り易くなる。加えて、本発明のライフロガーは睡眠計として使うときは身体から取
り外せるため、ライフロガーを身体に装着したまま寝ることに抵抗があるユーザでも、使用することができる。
【０００８】
前記制御回路は、前記コアユニットが前記ベースユニットから取り外されている場合は、前記センサの出力信号から前記コアユニットを身に着けたユーザの体動を検知し、検知された体動に基づく活動状態をライフログとして記録する活動計測モードで動作し、前記コアユニットが前記ベースユニットに取り付けられている場合は、前記出力信号から前記ベースユニットが置かれた寝具の動きを検知し、検知された寝具の動きに基づく睡眠状態をライフログとして記録する睡眠計側モードで動作する、という構成を採ることも好ましい。この構成によれば、共通のハードウェアリソースであるセンサと制御回路によって、活動期間中の活動状態と睡眠期間中の睡眠状態をライフログとして記録することができる。
【０００９】
前記コアユニットは、前記コアユニットが前記ベースユニットに取り付けられているか否かを検知する検知手段をさらに有し、前記制御回路は、前記検知手段の検知結果に基づき前記活動計測モードと前記睡眠計側モードを自動で切り替える、という構成を採ることも好ましい。この構成によれば、ユーザがコアユニットをベースユニットに取り付ける／取り外すという操作を行うと、自動で計測モードの切り替えが行われるので、ユーザにモード変更という意識を与えず、且つ精度高くモードの切り替えを実現できる。
【００１０】
前記検知手段は、いかなる構成でもよい。例えば、前記検知手段は、前記充電器から前記二次電池に入力される電力を検知する回路でもよい。また、前記検知手段は、前記コアユニットを前記ベースユニットに取り付けたときに閉成するスイッチでもよい。
【００１１】
なお、本発明は、上記構成ないし機能の少なくとも一部を有するライフロガーとして捉えることができる。また、本発明は、上記処理の少なくとも一部を含むライフロガーの制御方法、または、かかる方法をコンピュータに実行させるためのプログラム、または、そのようなプログラムを非一時的に記録したコンピュータ読取可能な記録媒体として捉えることもできる。上記構成及び処理の各々は技術的な矛盾が生じない限り互いに組み合わせて本発明を構成することができる。
【発明の効果】
【００１２】
本発明によれば、ライフログを欠損することなく充電可能な構成をもつ、ユーザビリティに優れたライフロガーを提供することができる。
【図面の簡単な説明】
【００１３】
【図１】ライフロガーの外観を示す斜視図。
【図２】ライフロガーの構成を示すブロック図。
【図３】ライフロガーの使用方法を示す模式図。
【図４】計測モード切替処理のフローチャート。
【発明を実施するための形態】
【００１４】
以下に図面を参照しつつ、本発明の好適な実施の形態を説明する。ただし、以下に記載されている各構成の説明は、発明が適用される装置の構成や各種条件により適宜変更されるべきものであり、この発明の範囲を以下の記載に限定する趣旨のものではない。
【００１５】
（装置構成）
図１Ａ及び図１Ｂに、本発明の実施形態に係るライフロガーの外観を示す。本実施形態のライフロガー１は、コアユニット１０とベースユニット２０から構成される。ベースユニット２０の上面にはコアユニット１０の取付部２１が設けられており、コアユニット１
０はベースユニット２０に対し取り付け／取り外し自在な構造を有する。図１Ａはコアユニット１０をベースユニット２０から取り外した状態（分離状態）を示し、図１Ｂはコアユニット１０をベースユニット２０の取付部２１に取り付けた状態（ドッキング状態）を示している。
【００１６】
図２は、ライフロガー１の構成を模式的に示すブロック図である。コアユニット１０は、概略、センサ１０１、制御回路１０２、操作部１０３、表示部１０４、通知部１０５、通信制御部１０６、二次電池１０７、充電制御部１０８、接続検知部１０９を有している。また、ベースユニット２０は、概略、充電器２０１、電源回路２０２、通知部２０３を有している。
【００１７】
センサ１０１は動きをセンシングするセンサである。本実施形態のセンサ１０１は、３軸加速度センサであり、出力信号としてＸ軸方向、Ｙ軸方向、Ｚ軸方向それぞれの加速度信号を出力する。なお、センサ１０１としては、加速度センサ以外にも、ジャイロ、ＧＰＳセンサ、画像センサ等を用いてもよく、また複数のセンサを組み合わせてもよい。
【００１８】
制御回路１０２は、ライフロガー１の各部の制御、センサ１０１の出力信号に基づきユーザの活動状態や睡眠状態を検知（推定）する処理、これらのライフログを記録・表示・送信する処理等を担う回路である。制御回路１０２は、プロセッサ、メモリ等で構成される。後述する制御回路１０２の処理は、メモリに格納されたプログラムをプロセッサが実行することにより実現される。
【００１９】
操作部１０３は、ユーザがライフロガー１の電源投入や各種操作を行うための入力インターフェースであり、例えばボタンスイッチ等で構成される。表示部１０４は、ライフロガー１の設定画面やライフログ出力画面等を表示するための出力インターフェースであり、例えば液晶ディスプレイ又は有機ＥＬディスプレイ等で構成される。通知部１０５は、ユーザに対し通知を行う機能であり、例えば振動モータ又はＬＥＤランプ等で構成される。通信制御部１０６は、ライフロガー１が外部の電子機器（パーソナルコンピュータ、スマートフォン等）と無線又は有線によりデータの送受信を行うための通信インターフェースである。
【００２０】
二次電池１０７は、コアユニット１０内のセンサ１０１、制御回路１０２、表示部１０４、通知部１０５、通信制御部１０６等へ電力を供給する電源であり、例えばリチウムポリマー電池又はリチウムイオン電池等で構成される。充電制御部１０８は、二次電池１０７の充電制御を行う回路である。
【００２１】
接続検知部１０９は、コアユニット１０がベースユニット２０に取り付けられているか否かを検知する手段である。接続検知部１０９の構成及び検知手法はどのようなものでもよい。例えば、接続検知部１０９は、ベースユニット２０の充電器２０１からコアユニット１０の二次電池１０７に入力される電力を検知する回路によって、コアユニット１０とベースユニット２０とが電気的に接続されたことを検知してもよい（この構成の場合、充電制御部１０８が接続検知部１０９の機能を兼ねてもよい。）。あるいは、接続検知部１０９は、コアユニット１０をベースユニット２０に取り付けたときに閉成するスイッチでもよい。例えば、コアユニット１０に押下式のハードウェアスイッチを設け、コアユニット１０をベースユニット２０の取付部２１に正しく装着するとベースユニット２０によってスイッチが押下されるような構造としてもよい。あるいは、フォトセンサ等のセンサによってコアユニット１０とベースユニット２０の接続を検知してもよい。
【００２２】
ベースユニット２０内の充電器２０１は、コアユニット１０内の二次電池１０７を充電するための回路である。本実施形態では、ベースユニット２０とコアユニット１０にそれ
ぞれ電気接点（不図示）が設けられており、コアユニット１０をベースユニット２０の取付部２１に取り付けると、充電器２０１と充電制御部１０８とが電気的に接続し、充電が開始される。なお、本実施形態では接触充電方式の充電器を用いるが、電磁誘導等による非接触充電（ワイヤレス充電）方式の充電器を用いても構わない。電源回路２０２は、商用電源より入力されるＡＣ電力を所望の電圧のＤＣ電力に変換する回路である。通知部２０３は、睡眠計の一機能である目覚ましアラーム用の音源（ブザー）である。
【００２３】
（使用方法）
このライフロガー１は、ウェアラブル型（携帯型）の活動量計として使用可能であると共に置き型の睡眠計としても使用可能な、ハイブリッドタイプのライフロガーである。活動量計として使用する場合は、図３Ａに示すように、コアユニット１０単体を上半身のポケット等に装着して使用する。一方、睡眠計として使用する場合は、図３Ｂに示すように、コアユニット１０をベースユニット２０に取り付け、ベースユニット２０の底面を下にして枕元（敷布団やマットレス等の寝具の上）に置いて使用する。このとき、ベースユニット２０の電源プラグがコンセントに差し込まれていれば、睡眠計として動作しつつ、コアユニット１０の二次電池１０７の充電が行われる。
【００２４】
（計測モード）
制御回路１０２は、コアユニット１０がベースユニット２０から取り外されている場合（図３Ａの使用状態）は「活動計測モード」で動作する。活動計測モードとは、センサ１０１の出力信号からユーザの体動（身体の動き）を検知し、検知された体動に基づくユーザの活動状態をライフログとして記録するモードである。例えば、制御回路１０２は、Ｘ軸方向、Ｙ軸方向、Ｚ軸方向の加速度信号の波形から、歩数のカウント、歩行速度や運動強度の推定、階段の上り下りの推定等を行い、歩数、早歩き歩数、階段上り歩数、活動量（ＭＥＴｓ）、消費カロリー、距離等のデータをライフログとしてメモリに記録する。
【００２５】
一方、コアユニット１０がベースユニット２０に取り付けられている場合（図３Ｂの使用状態）、制御回路１０２は「睡眠計測モード」で動作する。睡眠計測モードとは、センサ１０１の出力信号から寝具の動きを検知し、検知された寝具の動きに基づくユーザの睡眠状態をライフログとして記録するモードである。例えば、制御回路１０２は、Ｘ軸方向、Ｙ軸方向、Ｚ軸方向の加速度信号の波形に現れる寝具の動きから、睡眠中のユーザの動きを検知し、動きの有無や頻度、眠りの深さ等のデータをライフログとしてメモリに記録する。
【００２６】
制御回路１０２は、計測モードに応じてセンサ１０１の動作設定を切り替えてもよい。例えば、活動計測モードの場合は、センサ１０１のサンプリング周期を相対的に小さく（例えば１０Ｈｚ〜）、測定レンジを相対的に広く（例えば±４Ｇ）し、睡眠計測モードの場合は、サンプリング周期を相対的に大きく（例えば１〜１０Ｈｚ）、測定レンジを相対的に狭く（例えば±２Ｇ）するとよい。これにより、活動計測モードでは、運動等の激しい体動による加速度信号の波形変化を正確に検知することができ、一方の睡眠計測モードでは、センサ１０１の分解能が高くなるため、寝具の小さな動きも正確に検知することができる。
【００２７】
また、制御回路１０２は、活動計測モードでは測定性能よりも消費電力を優先し、睡眠計測モードでは（充電器２０１から給電を受けているため）消費電力よりも測定性能を優先してもよい。例えば、ノイズレベルが調整可能なセンサ１０１を用いた場合は、活動計測モードではノイズは多いが消費電力の低い動作設定とし、睡眠計測モードでは消費電力は高くでも構わないのでノイズの少ない動作設定とする。また、制御回路１０２側でノイズ除去等のフィルタ演算を行う場合には、活動計測モードに比べて睡眠計測モードのサンプリング周期を小さくし、より多くのデータを処理に用いてもよい。
【００２８】
図４は計測モード切替処理のフローチャートである。ライフロガー１の電源がＯＮになると、制御回路１０２が現在のモードをチェックする（ステップＳ４０）。現在のモードが活動計測モードである場合、制御回路１０２は接続検知部１０９の検知結果に基づきコアユニット１０がベースユニット２０に取り付けられているか否か（分離状態かドッキング状態か）をチェックし（ステップＳ４１）、分離状態の場合は活動計測モードを維持し、ドッキング状態の場合は睡眠計側モードへ遷移する（ステップＳ４２）。一方、現在のモードが睡眠計測モードである場合、制御回路１０２は接続検知部１０９の検知結果に基づきコアユニット１０がベースユニット２０に取り付けられているか否か（分離状態かドッキング状態か）をチェックし（ステップＳ４３）、分離状態の場合は活動計測モードへ遷移し（ステップＳ４４）、ドッキング状態の場合は睡眠計側モードを維持する。以上の処理は所定のタイムインターバル（例えば１秒に１回）で実行される。このような処理により、コアユニット１０の取り付け／取り外しに連動して、自動的に計測モードの切り替えが行われる。
【００２９】
（本実施形態の利点）
以上述べた実施形態の構成によれば、活動期間（起きている期間）はコアユニット１０を身に着けて持ち歩き、就寝時にコアユニット１０をベースユニット２０に取り付けて枕元等に置く、という使用方法により、活動期間から睡眠期間まで漏れなくライフログを記録することができる。また、睡眠計として動作している間に並行してコアユニット１０の充電が行われるため、利便性に優れる。加えて、本実施形態のライフロガー１は睡眠計として使うときは身体から取り外せるため、ライフロガー１を身体に装着したまま寝ることに抵抗があるユーザでも、使用することができる。
【００３０】
また、ウェアラブル型の活動量計と置き型の睡眠計とで、センサ１０１、制御回路１０２、二次電池１０７、操作部１０３、表示部１０４、通信制御部１０６等を共通で使用できるため、ハードウェアリソースの節約及びコストの低減を図ることができる。ウェアラブル型の活動量計は、使用性の観点からできるだけ小さく且つ軽いことが望まれるのに対し、置き型の睡眠計は、計測の安定性を確保するために、ある程度の大きさ・形状・重量（寝具の上で安定姿勢を維持できる程度の大きさと重量）が必要となる。本実施形態のライフロガー１は、分離式の構造を採用することで、ウェアラブル型の活動量計（コアユニット１０単体）に要求される小型化・軽量化と、置き型の睡眠計（コアユニット１０とベースユニット２０のセット）に要求される安定性の両方を満足することができる。なお、コアユニット１０の小型化・軽量化を図るために、睡眠計として動作するときのみ必要なハードウェア（例えば通知部２０３）はベースユニット２０側に設けることが好ましい。
【００３１】
計測モードの切り替え方法として、従来は、ユーザが手動で切り替えるか、タイマーで切り替える（例えば、就寝予定時間帯を予め設定しておき、その時間帯中で体動が少なくなった時点から睡眠計側を開始する）ものが多い。しかし、手動切り替えはユーザにとって煩雑であり、後者のタイマー切り替えは適切なタイミングで切り替えが実行されないなど精度面で課題がある。これに対し、本実施形態の構成では、ユーザがコアユニット１０をベースユニット２０に取り付ける／取り外すという操作を行うと、自動で計測モードの切り替えが行われるので、ユーザにモード変更という意識を与えず、且つ精度高くモードの切り替えを実現できる。
【００３２】
なお、上述した実施形態の構成は本発明の一具体例を示したものにすぎず、本発明の範囲を限定する趣旨のものではない。本発明はその技術思想を逸脱しない範囲において、種々の具体的構成を採り得るものである。例えば上記実施形態で示したコアユニット１０及びベースユニット２０の形状、大きさ、機能構成は一例であり、本発明の目的が達成できればこれに限られない。例えば上記実施形態のコアユニット１０はクリップによりポケッ
ト等に装着する構造であったが、腕時計型、リストバンド型、ネックレス型、メガネ型、ヘッドマウント型、衣服型など、ユーザの身体に装着できればどのような構造でもよい。また、ベースユニット２０に電源回路２０２を設ける替わりに、外付けのＡＣアダプタによりＡＣ−ＤＣ変換を行ってもよい。あるいは、ベースユニット２０がＵＳＢ充電に対応していることも好ましい。
【符号の説明】
【００３３】
１：ライフロガー
１０；コアユニット
１０１：センサ、１０２：制御回路、１０３：操作部、１０４：表示部、１０５：通知部、１０６：通信制御部、１０７：二次電池、１０８：充電制御部、１０９：接続検知部
２０：ベースユニット
２１：取付部
２０１：充電器、２０２：電源回路、２０３：通知部
【図１】
2017127371.tif 000003
【図２】
2017127371.tif 000004
【図３】
2017127371.tif 000005
【図４】
2017127371.tif 000006